(57)【特許請求の範囲】
【請求項１】
所定時間の間に、被写体からの光を撮像する撮像素子からの撮像信号に基づく複数のフレーム画像に基づき生成され、単位時間に前記撮像信号に基づき生成されるフレーム画像の数を示す第１フレームレートより少ない第２フレームレートで再生されるよう記録されるスローモーション動画像のスローモーション動画像データと、前記複数のフレーム画像の中の少なくとも１枚のフレーム画像に基づき静止画像として生成される静止画像用データとのうちの少なくとも一方に関連付けて、前記スローモーション動画像と前記静止画像用データに基づく画像とを時系列に画像再生する際に再生される音に関する情報であるテーマ情報を、記録媒体に記録する記録制御部と、
前記スローモーション動画像データと前記静止画像用データとのうちの少なくとも一方を解析する解析部と、
前記解析部による解析結果に基づいて、前記テーマ情報を設定する設定部とを備えることを特徴とする画像処理装置。
【請求項２】
スローモーションの動画及び前記スローモーションの動画に関連する静止画を表示部に表示する所定表示をする際に使用されるスローモーション動画像データ及び静止画像用データの少なくとも一方を解析した結果に基づいて前記所定表示をする際に再生される音に関するテーマ情報を設定する設定部と、
前記スローモーション動画像データ及び前記静止画像用データの少なくとも一方に関連付けて前記テーマ情報を記録媒体に記録する制御をする制御部とを備えることを特徴とする画像処理装置。
【請求項３】
前記テーマ情報を複数記憶する記憶部と、
前記記憶部に記憶されている前記複数のテーマ情報の中から、所望のテーマ情報を選択可能な選択設定部と、を備え、
前記記録制御部は、前記選択設定部により選択設定されたテーマ情報を、前記スローモーション動画像データと前記静止画像用データとのうちの少なくとも一方に関連付けて前記記録媒体に記録することを特徴とする請求項１記載の画像処理装置。
【請求項４】
前記静止画像用データに基づく画像は、前記複数のフレーム画像の中の１枚のフレーム画像に基づき生成される静止画像であることを特徴とする請求項１または請求項３記載の画像処理装置。
【請求項５】
前記解析部は、前記スローモーション動画像データと前記静止画像用データとのうちの少なくとも一方から前記被写体の顔領域を認識する顔領域認識部を含み、
前記設定部は、前記顔領域認識部により認識された前記顔領域に基づいて、前記テーマ情報を設定することを特徴とする請求項１、請求項３及び請求項４の何れか一項に記載の画像処理装置。
【請求項６】
前記解析部は、前記スローモーション動画像データから前記被写体の輝度分布情報を検出する輝度分布情報検出部を含み、
前記設定部は、前記輝度分布情報検出部により検出された前記輝度分布情報に基づいて、前記テーマ情報を設定することを特徴とする請求項１、請求項３及び請求項４の何れか一項に記載の画像処理装置。
【請求項７】
前記解析部は、前記スローモーション動画像データから前記被写体の動き情報を検出する動き情報検出部を含み、
前記設定部は、前記動き情報検出部により検出された前記動き情報に基づいて、前記テーマ情報を設定することを特徴とする請求項１、請求項３及び請求項４の何れか一項に記載の画像処理装置。
【請求項８】
前記解析部は、前記スローモーション動画像の再生時に前記解析を行い、
前記設定部は、前記スローモーション動画像データの前記記録媒体への記録時に前記設定部により設定された前記テーマ情報を、前記再生時の解析結果に基づいて再設定することを特徴とする請求項１及び請求項３〜請求項７の何れか一項に記載の画像処理装置。
【請求項９】
前記テーマ情報に基づいて、前記スローモーション動画像と前記静止画像用データに基づく画像とのうちの少なくとも一方に対する画像処理を実行する画像処理部を更に備えることを特徴とする請求項１及び請求項３〜請求項８の何れか一項に記載の画像処理装置。
【請求項１０】
前記画像処理部は、前記スローモーション動画像と前記静止画像用データに基づく画像とのうちの少なくとも一方に対する色調、トランジションエフェクト、並びに前記スローモーション動画像の再生速度の少なくとも一つを変化させることを特徴とする請求項９記載の画像処理装置。
【請求項１１】
前記解析部は、前記スローモーション動画像データから前記被写体の動き情報を検出する動き情報検出部を含み、
前記画像処理部は、前記動き情報検出部により検出された前記動き情報に基づいて、前記スローモーション動画像の再生速度を変化させることを特徴とする請求項９記載の画像処理装置。
【請求項１２】
前記テーマ情報に基づいて前記音を選択する選択部を備えることを特徴とする請求項１及び請求項３〜請求項１１の何れか一項に記載の画像処理装置。
【請求項１３】
前記選択部は、前記スローモーション動画像の再生速度に基づいて、前記音を選択することを特徴とする請求項１２記載の画像処理装置。
【請求項１４】
サーバに記録され、前記サーバから送信される前記音を受信する受信部を備え、
前記受信部は、前記選択部により選択された前記音を受信することを特徴とする請求項１２または請求項１３記載の画像処理装置。
【請求項１５】
前記記録制御部は、前記テーマ情報を、前記スローモーション動画像データ及び前記静止画像用データの付属情報として、前記スローモーション動画像データ及び前記静止画像用データに付加して記録することを特徴とする請求項１及び請求項３〜請求項１４の何れか一項に記載の画像処理装置。
【請求項１６】
前記音は、音楽または音声の少なくとも一方を含むことを特徴とする請求項１〜請求項１５の何れか一項に記載の画像処理装置。
【請求項１７】
前記静止画像用データに基づく画像は、１つの静止画像を連続するフレーム画像として生成されるフリーズ動画像であることを特徴とする請求項１〜請求項１６の何れか一項に記載の画像処理装置。
【請求項１８】
前記スローモーション動画像データを解析し、前記スローモーションの動画を構成するフレーム画像中の被写体の顔領域を認識する解析部を有し、
前記設定部は、前記解析部により認識された前記顔領域に基づいて、前記テーマ情報を設定することを特徴とする請求項２記載の画像処理装置。
【請求項１９】
前記スローモーション動画像データを解析し、前記スローモーションの動画中の被写体の輝度分布情報を検出する解析部を有し、
前記設定部は、前記解析部により検出された前記輝度分布情報に基づいて、前記テーマ情報を設定することを特徴とする請求項２記載の画像処理装置。
【請求項２０】
前記スローモーション動画像データを解析し、前記スローモーションの動画中の被写体の動き情報を検出する解析部を有し、
前記設定部は、前記解析部により検出された前記動き情報に基づいて、前記テーマ情報を設定することを特徴とする請求項２記載の画像処理装置。
【請求項２１】
前記解析部は、前記スローモーションの動画の再生時に前記解析を行い、
前記設定部は、前記スローモーションの動画の前記記録媒体への記録時に前記設定部により設定された前記テーマ情報を、前記再生時の解析結果に基づいて再設定することを特徴とする請求項１８〜請求項２０の何れか一項に記載の画像処理装置。
【請求項２２】
請求項１〜請求項２１の何れか一項に記載の画像処理装置を含むカメラ。
【発明の詳細な説明】
【技術分野】
【０００１】
本発明は、動画像を生成可能な画像処理装置及びカメラに関するものである。
【背景技術】
【０００２】
入力画像から画像特徴量を抽出し、抽出した画像特徴量をスタイル特徴量に変換し、変換されたスタイル特徴量に基づいて入力画像にマッチしたスタイルを決定し、更に、抽出した画像特徴量を音楽特徴量に変換し、変換された音楽特徴量に基づいて入力画像にマッチした音楽を決定し、入力画像、音楽、スタイルを用いて、ショートフィルムを生成し、再生することができるショートフィルム生成再生装置が提案されている（例えば、特許文献１参照）。
【先行技術文献】
【特許文献】
【０００３】
【特許文献１】特許第４２６１３１７号公報
【発明の概要】
【発明が解決しようとする課題】
【０００４】
ところで、静止画像の撮影タイミングに同期して撮影され、被写体が実際の動きよりスローに動くスローモーション動画像を再生するとともに、この動画像の録画時に録音した音声を再生した場合、スロー再生されるため間延びした音声となり、視聴するユーザーに違和感を与える。また、上述の動画像を再生すると共に上述の静止画像のフリーズ動画を再生する際にも、フリーズ動画が再生されている間、無音の状態が継続し、視聴するユーザーに退屈な印象を与える。しかしながら、上述の特許文献１記載のショートフィルム生成再生装置には、上述の動画像及びフリーズ動画を順次再生する際に、この動画像やフリーズ動画にマッチした音声や音楽を選択し、動画像やフリーズ動画と共に再生する技術は開示されていない。
【０００５】
本発明の目的は、スローモーション動画像と、該スローモーション動画像に関連する静止画像に基づく画像と共に再生される適切な音を自動的に選択することができる画像処理装置及びカメラを提供することである。
【課題を解決するための手段】
【０００６】
本発明は以下のような解決手段により上記課題を解決する。なお、理解を容易にするために、本発明の実施の形態に対応する符号を付して説明するが、本発明はこれに限定されるものではない。
【０００７】
本発明の画像処理装置は、所定時間の間に、被写体からの光を撮像する撮像素子からの撮像信号に基づく複数のフレーム画像に基づき生成され、単位時間に前記撮像信号に基づき生成されるフレーム画像の数を示す第１フレームレートより少ない第２フレームレートで再生されるよう記録されるスローモーション動画像のスローモーション動画像データと、前記複数のフレーム画像の中の少なくとも１枚のフレーム画像に基づき静止画像として生成される静止画像用データとのうちの少なくとも一方に関連付けて、前記スローモーション動画像と前記静止画像用データに基づく画像とを時系列に画像再生する際に再生される音に関する情報であるテーマ情報を、記録媒体に記録する記録制御部と、前記スローモーション動画像データと前記静止画像用データとのうちの少なくとも一方を解析する解析部と、前記解析部による解析結果に基づいて、前記テーマ情報を設定する設定部とを備えることを特徴とする。
また本発明の画像処理装置は、スローモーションの動画及び前記スローモーションの動画に関連する静止画を表示部に表示する所定表示をする際に使用されるスローモーション動画像データ及び静止画像用データの少なくとも一方を解析した結果に基づいて前記所定表示をする際に再生される音に関するテーマ情報を設定する設定部と、前記スローモーション動画像データ及び前記静止画像用データの少なくとも一方に関連付けて前記テーマ情報を記録媒体に記録する制御をする制御部とを備えることを特徴とする。
また本発明のカメラは、本発明の画像処理装置を含むことを特徴とする。
【発明の効果】
【０００８】
本発明の画像処理装置によれば、スローモーション動画像と、該スローモーション動画像に関連する静止画像に基づく画像と共に再生される適切な音を自動的に選択することができる。
【図面の簡単な説明】
【０００９】
【図１】第１の実施の形態に係る電子カメラの外観を示す背面図である。
【図２】第１の実施の形態に係る電子カメラのシステム構成を示すブロック図である。
【図３】第１の実施の形態に係る電子カメラにおいてスローモーション動画及び静止画を撮影する際の処理について説明するためのフローチャートである。
【図４】スロー動画データ及び静止画データのファイル構成を示す図である。
【図５】第１の実施の形態に係る電子カメラにおいてスローモーション動画及び静止画を再生する際の処理について説明するためのフローチャートである。
【図６】第２の実施の形態に係る電子カメラにおいてスローモーション動画及び静止画を撮影する際の処理について説明するためのフローチャートである。
【図７】表示部の表示例を示す図である。
【図８】第２の実施の形態に係る電子カメラにおいてスローモーション動画及び静止画のテーマ情報を設定する際の処理について説明するためのフローチャートである。
【図９】スロー動画中の顔領域検出について説明するための図である。
【図１０】スロー動画中の被写体の輝度分布情報検出について説明するための図である。
【図１１】記憶部に記憶されているテーブルについて説明するための図である。
【図１２】輝度点の時間に対する輝度変化を示すグラフである。
【図１３】スロー動画中の被写体の動き情報検出について説明するための図である。
【発明を実施するための形態】
【００１０】
以下、図面を参照して、本発明の第１の実施の形態に係る画像処理装置としての電子カメラについて説明する。図１は、第１の実施の形態に係る電子カメラ２の外観を示す背面図である。図１に示すように、電子カメラ２の背面には、ＬＣＤ等により形成されるモニタとしての表示部４が設けられている。表示部４は、後述する撮像素子２２からの撮像信号に基づくスルー画像、後述する記録媒体２８に記録されている画像データに基づく静止画像や動画像、後述するスロー動画＋静止画撮影モードにおいてスロー動画撮影に関する設定を行う際のメニュー画面、及び撮影に関する情報等を表示する。
【００１１】
また、電子カメラ２の背面には、静止画撮影を指示するためのシャッタボタン６、撮影モードを変更するためのモードボタン８、様々な機能を設定する際に操作される機能設定ボタン１０、メニュー項目等の選択や様々な設定時に操作される十字キー１２、メニュー項目等の選択や様々な設定に対する確定操作を行うためのＯＫボタン１４が設けられている。モードボタン８は、動画を撮影するための動画撮影モード、静止画を撮影するための静止画撮影モード、後述するスローモーション動画（以下、スロー動画という。）及びスロー動画に関連する静止画を撮影するためのスロー動画＋静止画撮影モード等の撮影モードを選択するためのボタンであり、モードボタン８を押下する毎に選択可能な撮影モードに順次切り替わる。また、機能設定ボタン１０は、モードボタン８において選択された撮影モード下において設定可能な機能について設定するためのメニュー画面を表示部４に表示させる際に操作されるボタンである。
【００１２】
図２は、第１の実施の形態に係る電子カメラ２のシステム構成を示すブロック図である。図２に示すように、電子カメラ２は、マイクロプロセッサ等により構成され、電子カメラ２の各部を統括的に制御する制御部２０を備えている。制御部２０には、撮像素子２２、バッファメモリ２４、記憶部２６、記録媒体２８、表示部４、及び操作部３０が接続されている。撮像素子２２は、ＣＣＤまたはＣＭＯＳ等により構成され、図示しない撮影レンズを介した被写体からの光を撮像し、制御部２０は、撮像素子２２から出力され、図示しないＡ／Ｄコンバータを介すことによりアナログ信号からデジタル信号に変換された撮像信号に基づく画像データを取得する。
【００１３】
バッファメモリ２４は、撮像素子２２からの撮像信号に基づき生成された画像データを一時的に記憶する。特に、電子カメラ２が例えばスロー動画を撮影するスロー動画＋静止画撮影モード等に設定されている場合には、バッファメモリ２４は、撮像素子２２から動画像サイクル（６０ｆｐｓ等）に同期して出力される撮像信号に基づく複数の画像データ、即ちスロー動画像を構成する複数のフレーム画像をＦＩＦＯ（ｆｉｒｓｔ  ｉｎ  ｆｉｓｔ  ｏｕｔ）方式で順次記憶する。記憶部２６は、スロー動画及びスロー動画に関連する静止画像の画像データに付加して記録するための「きらめき」「ゆらめき」「やすらぎ」「愛らしさ」等の複数のテーマ情報（後述する）、各テーマ情報に調和する音楽の音楽データ（後述する）等を記憶する。
【００１４】
記録媒体２８は、電子カメラ２に設けられたカードスロット（図示せず）に着脱可能に装着される可搬性を有する記録媒体であり、例えば、ＣＦカード、ＳＤカード、スマートメディア等が用いられる。記録媒体２８には、バッファメモリ２４に記憶されているフレーム画像のそれぞれに、制御部２０内の図示しない縮小回路により動画用の解像度へのリサイズ（解像度大から小へ）処理、制御部２０内の図示しない動画用信号処理回路により動画用の画像処理、及び制御部２０内の図示しない動画用圧縮回路により動画用の圧縮処理を施すことにより作成される動画データやスロー動画データが記録される。また、記録媒体２８には、バッファメモリ２４に記憶されているフレーム画像に、制御部２０内の図示しない静止画用信号処理回路により静止画像用の画像処理、制御部２０内の図示しない静止画用圧縮回路により静止画像用の圧縮処理を施すことにより作成される静止画データや、撮影に関する情報等が記録される。操作部３０は、電子カメラ２の電源をオン／オフする電源スイッチ（図示せず）、シャッタボタン６、モードボタン８、機能設定ボタン１０、十字キー１２、ＯＫボタン１４等を含んで構成されている。
【００１５】
この実施の形態に係る電子カメラ２では、所定時間の間に、単位時間に撮像素子２２からの撮像信号に基づき生成されるフレーム画像の数を示す第１フレームレートより少ない第２フレームレートで再生されるスロー動画のスロー動画データを、撮像信号２２からの撮像信号に基づく複数のフレーム画像に基づき作成し、かつ該スロー動画を形成する複数のフレーム画像の少なくとも１つのフレーム画像に基づく静止画像の静止画データを作成し、これらスロー動画データ及び静止画データを互いに関連付けて記録媒体２８に記録することができる。以下、図３に示すフローチャートを参照して、この実施の形態に係る電子カメラ２においてスロー動画及び静止画像を撮影する際の処理について説明する。
【００１６】
まず、ユーザーがモードボタン８を操作することによりスロー動画＋静止画撮影モードに設定されると、制御部２０は、スロー動画及び該スロー動画に関連する静止画像を撮影するためのスロー動画＋静止画撮影モードに移行する（ステップＳ１０）。そして、ユーザーにより機能設定ボタン１０が押下されたか否かを判別する（ステップＳ１１）。ステップＳ１１において機能設定ボタン１０が押下されたと判別された場合には（ステップＳ１１、Ｙｅｓ）、制御部２０は、これから撮影されるスロー動画及び静止画像の画像データに関連付けて記録されるテーマ情報を選択するためのテーマ情報選択画面を表示部４に表示する。テーマ情報は、これから撮影されるスロー動画と静止画像に基づく画像とを時系列に画像再生する際に再生される音楽に関する情報であって、最適な音楽の音楽データを、記憶部２６に記憶されている複数の音楽データの中から選択するために使用される。
【００１７】
ユーザーは、複数のテーマ情報（例えば、「きらめき」「ゆらめき」「やすらぎ」「愛らしさ」等）の中から、所望のテーマ情報を十字キー１２を用いて選択し、ＯＫボタン１４を押下する。制御部２０は、ユーザーにより選択された所望のテーマ情報を記憶部２６に記憶させる（ステップＳ１２）。一方、ステップＳ１１において機能設定ボタン１０が押下されていないと判別された場合には（ステップＳ１１、Ｎｏ）、制御部２０は、デフォルトのテーマ情報（この実施の形態では、デフォルトのテーマ情報を「きらめき」とする。）を記憶部２６に記憶させる（ステップＳ１３）。
【００１８】
なお、ステップＳ１０においてスロー動画＋静止画撮影モードに移行したとき、テーマ情報の設定忘れを防止するために、ユーザーに対してテーマ情報を設定するよう促すための表示等を行うこともできる。また、ステップＳ１１において機能設定ボタン１０が押下されていないと判別された場合において（ステップＳ１１、Ｎｏ）、制御部２０は、デフォルトのテーマ情報に代えて、ユーザーにより前回設定されたテーマ情報を、これから撮影されるスロー動画及び静止画像のテーマ情報として記憶部２６に記憶させる構成にすることもできる。
【００１９】
次に、制御部２０は、ユーザーによりシャッタボタン６が半押しされたか否かを判別する（ステップＳ１４）。そして、ステップＳ１４においてシャッタボタン６が半押しされたと判別されると（ステップＳ１４、Ｙｅｓ）、制御部２０は、スロー動画及び静止画像の撮影準備、即ち主要被写体に対して合焦させ、スロー動画の撮影、即ちバッファメモリ２４へのフレーム画像のバッファリングを開始する（ステップＳ１５）。次に、制御部２０は、ユーザーによりシャッタボタン６が全押しされたか否かを判別する（ステップＳ１６）。そして、ステップＳ１６においてシャッタボタン６が全押しされたと判別されると（ステップＳ１６、Ｙｅｓ）、制御部２０は、静止画像の撮影指示が入力されたと判断し、シャッタボタン６が全押しされてから所定時間が経過したか否かを判別する（ステップＳ１７）。ステップＳ１７において所定時間が経過したと判別された場合には（ステップＳ１７、Ｙｅｓ）、制御部２０は、スロー動画の撮影終了、即ちバッファメモリ２４へのフレーム画像のバッファリングを終了する（ステップＳ１８）。
【００２０】
次に、制御部２０は、スロー動画のスロー動画データ、及び静止画像の静止画データを作成する（ステップＳ１９）。具体的には、シャッタボタン６が全押しされた時から第１所定時間（この実施の形態では、０．６秒）前までの間にバッファメモリ２４にバッファリングされた複数のフレーム画像と、シャッタボタン６が全押しされた時から第２所定時間（ステップＳ１７では所定時間、この実施の形態では０．４秒）後までの間にバッファメモリ２４にバッファリングされた複数のフレーム画像とに基づいて、スロー動画データを作成する。即ち、撮像素子２２から出力されるフレームレート（撮影フレームレート）と同等の第１フレームレート（例えば６０フレーム／秒等）でバッファメモリ２４に記憶されているフレーム画像を、第１フレームレートより少ない第２フレームレート（例えば第１フレームレートの１／２．５である２４フレーム／秒等）でバッファメモリ２４から読み出し、読み出したフレーム画像に対して制御部２０内の縮小回路（不図示）により動画像用の解像度へのリサイズ（解像度大から小へ）処理、制御部２０内の動画用信号処理回路（不図示）により動画用の画像処理（動画用圧縮処理含む）を施すことにより、スロー動画像データを作成する。なお、第１所定時間、第２所定時間及び第２フレームレートは、予め設定され、記憶部２６に記憶されており、変更可能に構成されている。
【００２１】
また、シャッタボタン６が全押しされた時に、撮像素子２２から出力される撮像信号に基づくフレーム画像に基づいて、静止画データを作成する。即ち、シャッタボタン６が全押しされた時に、バッファメモリ２４に記憶されたフレーム画像をバッファメモリ２４から読み出し、読み出されたフレーム画像に対して制御部２０内の静止画用信号処理回路（不図示）により静止画像用の画像処理（静止画用圧縮処理を含む）を施すことにより静止画データを作成する。
【００２２】
次に、制御部２０は、ステップＳ１２またはＳ１３において記憶部２６に記憶させたテーマ情報を読み出し、読み出したテーマ情報、及びセットＩＤ情報を、ステップＳ１９において作成されたスロー動画データ及び静止画データに関連付けて、記録媒体２８に記録する（ステップＳ２０）。具体的には、図４に示すように、テーマ情報Ｔ及びセットＩＤ情報Ｉを、スロー動画データの付属情報として、スロー動画データである動画・音声データＭや他の情報と共に、所定の形式で、メーカー独自情報領域内に付加して記録媒体２８に記録する。同様に、テーマ情報Ｔ及びセットＩＤ情報Ｉを、静止画データの付属情報として、静止画データである圧縮データ（画像）Ｓや他の情報と共に、Ｅｘｉｆ（Ｅｘｃｈａｎｇａｂｌｅ  ｉｍａｇｅ  ｆｉｌｅ  ｆｏｒｍａｔ）等の所定の形式で、ＡＰＰ１セグメントのメーカー独自情報領域内（Ｅｘｉｆにおいてはメーカーノート内）に付加して記録媒体２８に記録する。
【００２３】
セットＩＤ情報Ｉは、異なるファイル（異なる拡張子を有するファイル）として記録媒体２８に記録されるスロー動画データ及び静止画データを関連付けるための情報であり、制御部２０は、スロー動画データ（または静止画データ）のセットＩＤ情報Ｉを参照することにより、同一のセットＩＤ情報Ｉを有する静止画データ（またはスロー動画データ）を該スロー動画データに関連する静止画データ（または該静止画データに関連するスロー動画データ）として認識する。
【００２４】
なお、スロー動画データ及び静止画データへのセットＩＤ情報Ｉの付加に加えて、または代えて、スロー動画データ及び静止画データのファイル名を同一にすることにより、スロー動画データと静止画データとの関連を識別する構成にすることもできる。また、テーマ情報Ｔとして、各テーマ情報に割り当てられる数値がスロー動画データ及び静止画データの付属情報として記録されており、電子カメラ２は、例えば記憶部２６内に各テーマ情報の数値を示すデータベースを有している。また、図４においては、スロー動画データとして、動画・音声データＭが記録されているが、スロー動画を再生する際、動画に対応する音声をスロー動画と同時に再生しないため（後述する）、動画に対応する音声の録音を行わずに、動画データのみを記録することもできる。
【００２５】
次に、図５に示すフローチャートを参照して、この実施の形態に係る電子カメラ２においてスロー動画及び静止画像を再生する際の処理について説明する。
【００２６】
まず、ユーザーがモードボタン８等を操作することにより再生モードに設定されると、制御部２０は、記録媒体２８に記録されている画像データの画像（スロー動画や静止画像）を再生するための再生モードに移行する（ステップＳ３０）。そして、ユーザーにより操作部３０を介してスロー動画の再生指示がなされたか否かを判別する（ステップＳ３１）。スロー動画の再生指示は、十字キー１２、コマ送りボタン（不図示）、あるいはＯＫボタン１４などに対する使用者の操作によって行われる。この操作としては、例えば、表示部４に撮影日時の順（古い順または新しい順）に画像（スロー動画や静止画像等）が表示されている場合に、十字キー１２の左ボタン（次の画像表示を指示する操作部材）、或いは十字キー１２の右ボタン（前の画像表示を指示する操作部材）、或いはコマ送りボタンを操作すること、などが挙げられる。或いは、記録媒体２８に記録されている画像データのサムネイル画像（この場合のサムネイル画像は、スチルレリーズ時に取得された静止画像のサムネイル画像である。スロー動画の場合には、スロー動画取得時と同時に取得された静止画像（シャッタレリーズタイミングに取得された静止画像）に対応するサムネイル画像である）の一覧が表示されている場合に、十字キー１２等を用いたスロー動画に関連するサムネイル画像を選択した後に操作される、ＯＫボタン１４に対する押下操作等も挙げられる。
【００２７】
ステップＳ３１においてスロー動画の再生指示がなされたと判別された場合には（ステップＳ３１、Ｙｅｓ）、制御部２０は、再生指示がなされたスロー動画のスロー動画データに付加されているセットＩＤ情報に基づいて、スロー動画データに関連する静止画データ、即ちスロー動画を形成する複数のフレーム画像のうちの１枚のフレーム画像により形成される静止画像の静止画データを識別する。そして、該スロー動画データ及び該静止画データに基づくスロー動画及び静止画像をバッファメモリ２４にバッファリングする。
【００２８】
次に、制御部２０は、再生指示がなされたスロー動画のスロー動画データに付加されているテーマ情報を取得する（ステップＳ３２）。具体的には、スロー動画データに付加されているテーマ情報を示す数値を取得し、記憶部２６に記憶されている各テーマ情報の数値を示すデータベースから、スロー動画のテーマ情報、例えば「きらめき」「ゆらめき」「やすらぎ」「愛らしさ」等を識別する。
【００２９】
次に、制御部２０は、ステップＳ３２において取得したテーマ情報に基づいて、スロー動画を再生する際に、ＢＧＭとして再生する音楽を決定する（ステップＳ３３）。具体的には、テーマ情報毎に設定され、記憶部２６に記憶されている複数の音楽データの中から、ステップＳ３２にて取得したテーマ情報の場合に再生される音楽として設定されている音楽データを記憶部２６から選択し、選択した音楽データに基づく音楽をバッファメモリ２４にバッファリングする。
【００３０】
次に、制御部２０は、表示部４の表示画面を一旦暗転させた後、バッファメモリ２４にバッファリングされたスロー動画及び音楽の再生を開始する（ステップＳ３４）。具体的には、第１所定時間の間に撮影された複数のフレーム画像と、第２所定時間の間に撮影された複数のフレーム画像とを、第１フレームレート（撮影フレームレート）より少ない第２フレームレートで、表示部４に時系列に画像表示すると同時に、ＢＧＭとして音楽を再生する。このとき、スロー動画の再生開始から所定時間（約０．５秒）かけてスロー動画がフェードインする等のトランジションエフェクトを施す。
【００３１】
制御部２０は、スロー動画及び音楽の再生中、ユーザーにより操作部３０を介したスロー動画及び音楽の再生停止の指示がなされたか否かを判別する（ステップＳ４２）。スロー動画及び音楽の再生停止の指示としては、操作部３０のＯＫボタン１４の押下等が挙げられる。制御部２０は、スロー動画及び音楽の再生停止の指示がなされたと判別した場合（ステップＳ４２、Ｙｅｓ）、スロー動画及び音楽の再生を停止し、バッファメモリ２４にバッファリングされた静止画像を表示部４に表示する（ステップＳ４３）。
【００３２】
制御部２０は、静止画像の再生停止指示がなされたか否かを判別する（ステップＳ４４）。静止画像の表示停止の指示としては、例えば静止画像の表示中であって、スロー動画の再表示を指示するＯＫボタン１４、次の画像表示を指示する十字キー１２の左ボタン、前の画像表示を指示する十字キー１２の右ボタンの押下等が挙げられる。ステップＳ４４において静止画像の表示停止の指示がなされたと判別した場合（ステップＳ４４、Ｙｅｓ）、制御部２０は静止画像の表示部１４への表示を停止する（ステップＳ４５）。
【００３３】
一方、ステップＳ４２においてスロー動画及び音楽の再生停止の指示がなされない場合（ステップＳ４２、Ｎｏ）には、制御部２０は、スロー動画及び音楽の再生を継続し、スロー動画の再生終了から所定時間（約０．５秒）前から、スロー動画の再生終了までの間、スロー動画がフェードアウトする等のトランジションエフェクトを施す。
【００３４】
そして、制御部２０は、スロー動画の再生が終了したと判別した場合（ステップＳ３５、Ｙｅｓ）、例えば第１所定時間が０．６秒、第２所定時間が０．４秒、第２フレームレートが第１フレームレートの１／２．５の場合にあっては２．５秒経過した後、バッファメモリ２４にバッファリングされた静止画像を表示部４に表示する（ステップＳ３６）。
【００３５】
このとき、静止画像の再生開始から所定時間（約０．５秒）かけて静止画像がフェードインする等のトランジションエフェクトを施す。また、音楽は、スロー動画の再生終了や静止画像の再生開始にかかわらず、音楽が終了するまで再生を継続する。
【００３６】
次に、制御部２０は、ユーザーにより操作部３０を介して静止画像の表示停止の指示がなされたか否かを判別する（ステップＳ３７）。静止画像の表示停止の指示としては、例えば静止画像の表示中であって、スロー動画の再表示を指示するＯＫボタン１４、次の画像表示を指示する十字キー１２の左ボタン、前の画像表示を指示する十字キー１２の右ボタンの押下等が挙げられる。
【００３７】
ステップＳ３７において静止画像の表示停止の指示がなされたと判別された場合には（ステップＳ３７、Ｙｅｓ）、制御部２０は、静止画像を表示している間に、スロー動画の再生と同時にＢＧＭとして再生開始した音楽の再生が終了したか否かを判別する（ステップＳ３８）。例えばスロー動画の再生時間が２．５秒、音楽の再生時間が１０秒である場合には、静止画像が表示部４に７．５秒より長く表示される前に、静止画像の表示停止の指示がなされると、音楽の再生は継続されているため、音楽の再生は終了していないと判別される。一方、静止画像が表示部４に７．５秒より長く表示された後に、静止画像の表示停止の指示がなされると、音楽の再生は既に終了しているため、音楽の再生は終了したと判別される。
【００３８】
ステップＳ３８において音楽の再生が終了したと判別された場合には（ステップＳ３８、Ｙｅｓ）、制御部２０は、静止画像の表示部４への表示を停止する（ステップＳ３９）。一方、ステップＳ３８において音楽の再生が終了していないと判別された場合には（ステップＳ３８、Ｎｏ）、制御部２０は、静止画像の表示部４への表示、及び音楽の再生を停止する（ステップＳ４０）。
【００３９】
第１の実施の形態に係る電子カメラ２によれば、スロー動画及び該スロー動画に関連する静止画像のテーマ情報を設定するため、スロー動画と、該スロー動画に関連する静止画像と共に再生される最適な音楽をテーマ情報に基づいて自動的に選択することができる。また、スロー動画を再生した後に該スロー動画に関連する静止画像を再生し、これらスロー動画及び静止画像を再生する際、フェードイン・フェードアウト・クロスフェード等のトランジションエフェクトを効果的に使用するため、スロー動画と静止画像の関連性を印象付けると共に、スロー動画が静止画撮影時前後の動画であること（静止画像がスロー動画を形成する複数のフレーム画像のうちの１枚のフレーム画像であること）を、ユーザーに直感的に認識させることができる。
【００４０】
次に、図面を参照して、本発明の第２の実施の形態に係る画像処理装置としての電子カメラについて説明する。第２の実施の形態に係る電子カメラにおいては、第１の実施の形態に係る電子カメラ２の構成と同一の構成を有しているため、その説明を省略し、同一の構成には同一の符号を用いて説明を行う。
【００４１】
この第２の実施の形態では、制御部２０は、所定時間の間に、単位時間に撮像素子２２からの撮像信号に基づき生成されるフレーム画像の数を示す第１フレームレートより少ない第２フレームレートで再生されるスロー動画のスロー動画データ、及び該スロー動画を形成する複数のフレーム画像の少なくとも１つのフレーム画像に基づく静止画像の静止画データを作成し、作成されたスロー動画データ及び静止画データの少なくとも一方を解析し、解析結果に基づいてテーマ情報を設定する。以下、図６に示すフローチャートを参照して、この実施の形態に係る電子カメラ２においてスロー動画及び静止画像を撮影する際の処理について説明する。なお、ステップＳ５０及びＳ５１の処理は、図３に示すステップＳ１０及びＳ１１の処理と同一のため、その説明を省略する。
【００４２】
ステップＳ５１において機能設定ボタン１０が押下されたと判別された場合には（ステップＳ５１、Ｙｅｓ）、制御部２０は、図７に示すようなテーマ情報選択画面３２を表示部４に表示する。ユーザーは、複数のテーマ情報（図７では、「ＡＵＴＯ」「きらめき」「ゆらめき」「やすらぎ」「愛らしさ」）の中から、所望のテーマ情報を十字キー１２を用いて選択し、ＯＫボタン１４を押下する。ここで、図７に示す「ＡＵＴＯ」は、電子カメラ２（制御部２０）が、これから撮影されるスロー動画のスロー動画データ及び静止画像の静止画データの少なくとも一方を解析し、その解析結果に基づいてテーマ情報を自動で設定する際に選択される。
【００４３】
次に、制御部２０は、ユーザーにより図７に示すテーマ情報選択画面３２において「ＡＵＴＯ」が選択されたか否かを判別する（ステップＳ５２）。ステップＳ５２において「ＡＵＴＯ」が選択されていないと判別された場合には（ステップＳ５２、Ｎｏ）、制御部２０は、ユーザーにより選択された所望のテーマ情報（図７では、「ＡＵＴＯ」以外の「きらめき」「ゆらめき」「やすらぎ」「愛らしさ」のいずれか）を記憶部２６に記憶させ（ステップＳ５３）、ステップＳ５４の処理に進む。
【００４４】
一方、ステップＳ５１において機能設定ボタン１０が押下されていないと判別された場合には（ステップＳ５１、Ｎｏ）、制御部２０は、デフォルトのテーマ情報として「ＡＵＴＯ」が選択されたものと判断し、ステップＳ５４の処理に進む。同様に、ステップＳ５２において「ＡＵＴＯ」が選択されたと判別された場合には（ステップＳ５２、Ｙｅｓ）、制御部２０は、ステップＳ５４の処理に進む。なお、ステップＳ５４〜Ｓ５９の処理は、図３に示すステップＳ１４〜Ｓ１９の処理と同一のため、その説明を省略する。
【００４５】
ステップＳ５９の処理を終えた後、制御部２０は、テーマ情報の設定を行う（ステップＳ６０）。図８は、図６に示すステップＳ６０においてテーマ情報を設定する際の処理について説明するためのフローチャートである。
【００４６】
まず、制御部２０は、スロー動画データ及び静止画データが作成される前に、「ＡＵＴＯ」以外のテーマ情報が選択されたか否かを判別する（ステップＳ７０）。即ち、図７に示すテーマ情報選択画面３２において、「ＡＵＴＯ」以外の「きらめき」「ゆらめき」「やすらぎ」「愛らしさ」のいずれかがユーザーにより選択されたか否かを判別する。ステップＳ７０において「ＡＵＴＯ」以外のテーマ情報が選択されたと判別された場合には（ステップＳ７０、Ｙｅｓ）、制御部２０は、図６に示すステップＳ５３において記憶部２６に記憶させたテーマ情報（「きらめき」「ゆらめき」「やすらぎ」「愛らしさ」のいずれか）を読み出し、読み出したテーマ情報を、図６に示すステップＳ５９において作成されたスロー動画及び静止画データのテーマ情報として設定する（ステップＳ７１）。
【００４７】
一方、ステップＳ７０において「ＡＵＴＯ」以外のテーマ情報が選択されていないと判別された場合（ステップＳ７０、Ｎｏ）、即ち「ＡＵＴＯ」が選択されていると判別された場合には、制御部２０は、撮影されたスロー動画中（スロー動画を形成するフレーム画像中）の被写体の顔領域を、周知の顔領域認識機能を用いて検出する（ステップＳ７２）。例えば、図９に示すように、人物や動物（周知の動物顔認識機能を用いる）の顔を含む顔領域３４，３６，３８を検出する。
【００４８】
次に、制御部２０は、ステップＳ７２において少なくとも１つの顔領域が検出されたか否かを判別する（ステップＳ７３）。ステップＳ７３において、図９に示すように、人物や動物の顔領域３４，３６，３８が検出されたと判別された場合には（ステップＳ７３、Ｙｅｓ）、制御部２０は、周知の子供または動物の顔認識機能を用いて、その検出された顔領域３４，３６，３８内の顔が子供または動物の顔であるか否かを判別する（ステップＳ７４）。例えば、図９（ａ）に示すように顔領域３４内の顔が大人の顔である場合には、子供または動物の顔でないと判別し（ステップＳ７４、Ｎｏ）、図９（ｂ）に示すように顔領域３６，３８内の顔が子供や動物の顔である場合には、子供または動物の顔であると判別する（ステップＳ７４、Ｙｅｓ）。なお、この実施の形態では、ステップＳ７２において複数の顔領域が検出され、検出された複数の顔領域のうちの少なくとも一つの顔領域内の顔が子供または動物の顔である場合には、子供または動物の顔であると判別されるよう構成されているものとする。
【００４９】
ステップＳ７４において子供または動物の顔であると判別された場合（ステップＳ７４、Ｙｅｓ）、例えばスロー動画中に図９（ｂ）に示すようなフレーム画像が含まれる場合には、制御部２０は、図６に示すステップＳ５９において作成されたスロー動画及び静止画データのテーマ情報として「愛らしさ」を設定する（ステップＳ７５）。一方、ステップＳ７４において子供または動物の顔でないと判別された場合（ステップＳ７４、Ｎｏ）、例えば図９（ａ）に示すように、スロー動画中に大人の顔のみが含まれる場合には、制御部２０は、周知の笑顔認識機能を用いて、その大人の顔が笑顔であるか否かを判別する（ステップＳ７６）。ステップＳ７６において笑顔であると判別された場合には（ステップＳ７６、Ｙｅｓ）、制御部２０は、図６に示すステップＳ５９において作成されたスロー動画及び静止画データのテーマ情報として「やすらぎ」を設定する（ステップＳ７７）。これら顔認識関連の情報は、撮影後の静止画像または動画からの検出としているが、撮影時に顔認識処理を行う機能がカメラに搭載されている場合、その顔認識情報を記憶しておき、この保存時のテーマ情報設定に利用するようにしてもよい。それにより保存時の処理を一部省略でき、保存時間を短縮することも可能である。
【００５０】
一方、ステップＳ７３において人物や動物の顔領域が検出されていないと判別された場合（ステップＳ７３、Ｎｏ）、またはステップＳ７６において笑顔でないと判別された場合には（ステップＳ７６、Ｎｏ）、制御部２０は、スロー動画中の被写体の輝度分布情報を検出する（ステップＳ７８）。具体的には、スロー動画中の被写体の輝度分布情報として、輝度強度、輝度強度が所定範囲内の輝度点の面積、所定面積以上の輝度点の数、所定面積以上の輝度点の輝度変化周期等を検出する。
【００５１】
この実施の形態では、例えば図１０（ａ）に示すような水面を被写体とするスロー動画４０の場合において、まず、所定最低輝度強度Ｉｍｉｎ以上かつ所定最高輝度強度Ｉｍａｘ以下の輝度点を検出する。所定最低輝度強度Ｉｍｉｎ及び所定最高輝度強度Ｉｍａｘは、予め設定されており、例えば図１１に示すようなテーブルとして記憶部２６に記憶されている。制御部２０は、このテーブルを参照することにより所定最低輝度強度Ｉｍｉｎ及び所定最高輝度強度Ｉｍａｘを取得し、所定最低輝度強度Ｉｍｉｎ以上かつ所定最高輝度強度Ｉｍａｘ以下の輝度点を検出する。図１０（ａ）に示すスロー動画４０の場合において、検出された輝度点Ｐ１〜Ｐ７を図１０（ｂ）に示す。
【００５２】
次に、制御部２０は、検出された輝度点Ｐ１〜Ｐ７の面積を検出し、検出された輝度点Ｐ１〜Ｐ７の面積が所定面積より大きいか否かを判別する。所定面積は、予め設定されており、記憶部２６に記憶されている。そして、制御部２０は、所定面積より大きい輝度点（この実施の形態では、輝度点Ｐ１〜Ｐ７とする）の時間Ｔに対する輝度Ｉの変化を検出する。図１２は、輝度点Ｐ７の時間Ｔに対する輝度Ｉの変化を示すグラフである。制御部２０は、この時間Ｔに対する輝度Ｉの変化から、輝度点の輝度変化周期（Ｈｚ）を検出し、所定最低輝度変化周期Ｆｉｍｉｎ以上かつ所定最高輝度変化周期Ｆｉｍａｘ以下の輝度変化周期の輝度点の数を検出する。所定最低輝度変化周期Ｆｉｍｉｎ及び所定最高輝度変化周期Ｆｉｍａｘは、予め設定されており、例えば図１１に示すようなテーブルとして記憶部２６に記憶されている。
【００５３】
次に、制御部２０は、検出された輝度点の数が所定数ｍｉｎ以上か否かを判別する。所定数ｍｉｎは、予め設定されており、例えば図１１に示すようなテーブルとして記憶部２６に記憶されている。そして、制御部２０は、検出された輝度点の数が所定数ｍｉｎ以上であると判別した場合には、テーマ情報として「きらめき」を設定する条件を満たしていると判別し（ステップＳ７９、Ｙｅｓ）、図６に示すステップＳ５９において作成されたスロー動画及び静止画データのテーマ情報として「きらめき」を設定する（ステップＳ８０）。
【００５４】
一方、制御部２０は、検出された輝度点の数が所定数ｍｉｎ以上でないと判別した場合には、テーマ情報として「きらめき」を設定する条件を満たしていないと判別し（ステップＳ７９、Ｎｏ）、スロー動画中の被写体の動き情報を検出する（ステップＳ８１）。例えば、図１３に示すような葉４４がＡからＢへと往復移動を繰り返しているスロー動画４２の場合において、まず、制御部２０は、Ａ−Ｂ間を往復移動する葉４４の移動速度を算出し、算出結果に基づいて葉４４の往復移動に係る往復周期を算出し、算出された往復周期が所定最低往復周期Ｆｍｉｎ以上かつ所定最高往復周期Ｆｍａｘ以下であるか否かを判別する。所定最低往復周期Ｆｍｉｎ及び所定最高往復周期Ｆｍａｘは、予め設定されており、例えば図１１に示すようなテーブルとして記憶部２６に記憶されている。そして、制御部２０は、算出された往復周期が所定最低往復周期Ｆｍｉｎ以上かつ所定最高往復周期Ｆｍａｘ以下であると判別した場合には、テーマ情報として「ゆらめき」を設定する条件を満たしていると判別し（ステップＳ８２、Ｙｅｓ）、図６に示すステップＳ５９において作成されたスロー動画及び静止画データのテーマ情報として「ゆらめき」を設定する（ステップＳ８３）。
【００５５】
なお、移動する被写体が複数存在する場合には、例えば合焦位置に最も近い被写体等の代表の被写体の往復周期を算出する。一方、制御部２０は、算出された往復周期が所定最低往復周期Ｆｍｉｎ以上かつ所定最高往復周期Ｆｍａｘ以下でないと判別した場合には、テーマ情報として「ゆらめき」を設定する条件を満たしていないと判別し（ステップＳ８２、Ｎｏ）、いずれの条件も満たしていない場合には、デフォルトのテーマ情報を設定する。または制御部２０は、判定不可能と見做しテーマ情報選択画面３２を表示部１４に表示し、テーマ情報選択画面３２から利用者が選択したテーマ情報に基づいてテーマ情報を設定する。（ステップＳ８４）。
【００５６】
なお、図１１のテーブルに示すテーマ情報「ゆらめき１」は、ユーザーが設定した条件（所定最低往復周期Ｆｍｉｎ１及び所定最高往復周期Ｆｍａｘ１）を満たす場合に設定されるテーマ情報であり、算出された往復周期が、ユーザーにより設定された所定最低往復周期Ｆｍｉｎ１以上かつ所定最高往復周期Ｆｍａｘ１以下であると判別された場合のみ、テーマ情報として「ゆらめき１」が設定される。このユーザーにより条件を設定することができる機能は、予め設定されている条件がユーザーの感覚に合わない場合等に有効である。また、他のテーマ情報（例えば、「きらめき」「やすらぎ」「愛らしさ」等）についても、ユーザーが独自の条件（輝度変化周期等）を設定し、制御部２０がユーザー設定の条件を満たすか否かを判別し、判別結果に基づいてテーマ情報を設定することができる。また、図１１に示すテーブルを、記憶部２６でなく、サーバに記憶させておき、サーバから送信されるデータ信号を受信する受信部（図示せず）を電子カメラ２が備え、サーバから送信し、受信部により受信することによりテーブルを参照する構成にすることもできる。
【００５７】
テーマ情報の設定を終えた後、制御部２０は、図６に示すステップＳ６０において設定したテーマ情報、及びセットＩＤ情報を、ステップＳ５９において作成されたスロー動画データ及び静止画データに関連付けて、記録媒体２８に記録する（ステップＳ６１）。具体的な処理については、図３に示すステップＳ２０の処理と同一のため、その詳細な説明を省略する。
【００５８】
次に、第２の実施の形態に係る電子カメラ２においてスロー動画及び静止画像を再生する際の処理について説明する。
【００５９】
まず、制御部２０は、図５に示すステップＳ３０〜Ｓ３２の処理を実行する。そして、ステップＳ３２の処理の後、即ち再生するスロー動画及び静止画像のテーマ情報を取得した後、取得したテーマ情報に基づいて、再生するスロー動画及び静止画像の少なくとも一方に対する画像処理を実行する。具体的には、再生するスロー動画及び静止画像の少なくとも一方に対する色調やトランジションエフェクト、再生するスロー動画の再生速度等を変化させる画像処理を実行する。
【００６０】
例えば、「レトロ」というテーマ情報を設定可能で、テーマ情報として「レトロ」が設定されている場合には、スロー動画や静止画像の色調をモノトーンやセピア調に変更する画像処理を実行する。また、「やすらぎ」や「ゆらめき」等のゆったりしたイメージのテーマ情報が設定されている場合には、スロー動画から静止画像に切り替わる際のトランジションエフェクト、即ちフェードイン及びフェードアウトの速度を設定速度より遅くする画像処理を実行する。具体的には、スロー動画を０．５秒かけてフェードアウトさせ、静止画像を０．５秒かけてフェードインさせるところを、スロー動画を０．７秒かけてフェードアウトさせ、静止画像を０．７秒かけてフェードインさせる等の画像処理を実行する。
【００６１】
また、「やすらぎ」や「ゆらめき」等のゆったりしたイメージのテーマ情報が設定されている場合には、スロー動画の再生速度を遅くする画像処理を実行する。具体的には、スロー動画の再生時間が２．５秒のところを、３．０秒や４．０秒にする画像処理を実行する。また、スロー動画中の被写体の輝度分布情報や動き情報を検出し、検出結果に基づいてスロー動画の再生速度を変化させる。
【００６２】
具体的には、上述したように、スロー動画中の被写体の、所定範囲内の往復周期を算出し、算出された往復周期に基づいて、スロー動画の再生速度を変化させる。例えば、算出された往復周期と、「ゆらめき」用に定義されている往復周期（図１１参照）とを比較して、算出された往復周期が「ゆらめき」の往復周期に含まれているならば、「ゆらめき」の定義と調和するように、スロー動画の再生速度を変化させる。
【００６３】
また、「きらめき」が設定されている場合には、上述したように、スロー動画中の被写体の、所定範囲内の輝度強度及び所定面積以上の面積を有する輝度点の輝度変化周期を算出し、算出された輝度変化周期に基づいて、スロー動画の再生速度を変化させる。例えば、算出された輝度変化周期と、「きらめき」用に定義されている輝度変化周期（図１１参照）とを比較して、算出された輝度変化周期がどの「きらめき」の輝度変化周期に含まれているのかを特定し、その特定された「きらめき」の定義と調和するように、スロー動画の再生速度を変化させる。
【００６４】
次に、制御部２０は、ステップＳ３２において取得したテーマ情報、及びスロー動画の再生時間（再生速度）に基づいて、スロー動画を再生する際に、ＢＧＭとして再生する音楽を決定する（ステップＳ３３）。このＢＧＭとして再生される音楽はテーマ情報毎に設定され、複数の音楽の音楽データが記憶部２６に記憶されている。第２の実施の形態では、スロー動画を再生した後、静止画像を再生するが、スロー動画から静止画像への切替り及びスロー動画と静止画像の関連性を印象付けるために、スロー動画から静止画像に切り替わるとき、テンポやリズムが変化する音楽の音楽データが記憶部２６に記憶されている。例えば、スロー動画の再生時間が２．５秒、音楽の再生時間が１０秒の場合には、スロー動画が再生されている間の２．５秒間の音楽のテンポやリズムは、スロー動画再生後、静止画像が再生されている間の７．５秒間の音楽のテンポやリズムと異なる。
【００６５】
なお、テーマ情報や被写体の動き情報に基づいて、スロー動画の再生時間が２．５秒から３．０秒、４．０秒と変化する場合があるため、テーマ情報毎に、２．５秒後にテンポやリズムが変化する音楽、３．０秒後にテンポやリズムが変化する音楽、及び４．０秒後にテンポやリズムが変化する音楽が設定され、各々の音楽データが記憶部２６に記憶されている。
【００６６】
制御部２０は、テーマ情報及びスロー動画の再生時間に基づいて、記憶部２６に記憶されている複数の音楽データの中から、一つの音楽データを選択し、選択した音楽データに基づく音楽をバッファメモリ２４にバッファリングする。例えば、テーマ情報が「ゆらめき」で、スロー動画の再生時間が３．０秒の場合には、「ゆらめき」用に設定されている音楽で３．０秒後にテンポやリズムが変化する音楽の音楽データを選択する。
【００６７】
ステップＳ３３の処理の後、制御部２０は、ステップＳ３４〜Ｓ４０の処理を実行する。このとき、テーマ情報に基づいて、スロー動画及び静止画像の少なくとも一方に対する画像処理、例えばスロー動画及び静止画像の少なくとも一方に対する色調やトランジションエフェクト、再生するスロー動画の再生速度等を変化させる画像処理を実行している場合には、画像処理後のスロー動画及び静止画像を再生する。
【００６８】
第２の実施の形態に係る電子カメラ２によれば、スロー動画及び該スロー動画に関連する静止画像のテーマ情報を自動で設定するため、スロー動画と、該スロー動画に関連する静止画像と共に再生される最適な音楽をテーマ情報に基づいて自動的に選択することができる。また第２の実施形態によれば、スロー動画及び静止画像を再生する際、テーマ情報や被写体の動き情報に基づいて、画像の色調やトランジションエフェクト、スロー動画の再生速度を変化させることができ、更に、スロー動画が再生されている間の音楽のテンポやリズムと、静止画像が再生されている間の音楽のテンポやリズムとを異ならせるため、スロー動画の鑑賞に適切な雰囲気、及び静止画像の鑑賞に適切な雰囲気を、それぞれ効果的に演出することができる。
【００６９】
なお、第２の実施の形態においては、スロー動画の顔領域の検出結果、被写体の輝度分布情報の検出結果、及び被写体の動き情報の検出結果に基づいて、テーマ情報を設定しているが、スロー動画の顔領域の検出結果、被写体の輝度分布情報の検出結果、及び被写体の動き情報の検出結果の少なくとも一つに基づいて、テーマ情報を設定する構成にすることもできる。
【００７０】
また、第２の実施の形態においては、テーマ情報または被写体の動き情報に基づいて、スロー動画の再生時間（換言すれば再生速度）を予め装置側にドラフト設定されている再生時間（２．５秒）からそれとは異なる再生時間（例えば３．０秒や４．０秒）に変化させている。そして、スロー動画再生時に同時に再生される音楽として、テンポやリズムが変化するタイミングがそれぞれ異なる、予め装置内に用意された複数の音楽データ（例えば変化タイミングが、音楽再生開始から２．５秒後、３．０秒後及び４．０秒後である３つの音楽データ）の中から、その変化タイミングがスロー動画の再生時間（すなわちスロー動画の再生終了タイミング  ＝  スロー動画再生から静止画再生への切り換わりタイミング）に等しい音楽データを１つ選んで、再生する。しかしながら、被写体の動き情報によっては、スロー動画の再生時間（換言すれば再生速度）を、３．０秒、４．０秒以外の再生時間（換言すれば再生速度）に変化させる方が最適な場合がある。しかし、だからといって、考えられうる様々なパターンの音楽データを事前に画像再生装置側に用意しておくことは、画像再生装置側のメモリ容量の効率的な利用という観点からすると望ましくない。
【００７１】
そこで、このような場合には、予め画像再生装置内に用意されている音楽データを有効活用する。
【００７２】
１つの方法としては、例えば、選択された音楽データの再生時間（再生速度）を、スロー動画の再生時間（再生速度）に応じて変化させた上で、使用する。具体的に説明すると、例えば、被写体の動きに基づいて、スロー動画の再生時間が、ドラフト再生時間の２．５秒よりも倍の５秒間に変更されたとする。そして音楽データとしては、上記３つのパターン（テンポ又はリズムの変化タイミングが音楽再生開始からＡ＝２．５秒後、Ｂ＝３．０秒後、Ｃ＝４．０秒後である、３パターンの音楽データ）しか備えていないとする。この場合、装置は、変化タイミングが、スロー動画再生時間の５秒に最も近い４．０秒であるＣの音楽データを選択する。そして、このＣの音楽データのテンポ又はリズムの変化タイミングが、音楽再生開始から５秒後になるように、Ｃの音楽データを加工（変調）する。そしてその加工後のＣの音楽データを使って、５秒のスロー動画再生を行うようにする。なお変化させる対象としては、テンポやリズムだけでなく、音程なども変化させるようにしても良い。
【００７３】
この手法によれば、例え音楽データの種類のストックが少なかったとしても、その音楽データを加工（変調や編集など）することによって、テンポやリズム、或いは音程をも、任意のタイミングで変更させた音楽データを得ることが出来、あたかも複数の音楽データを供えているのと同等の効果を得ることが出来る。
【００７４】
また別の方法としては、音楽データは加工せずにそのまま使用し、その代わりスロー動画の再生時間を音楽の再生時間に合わせる、という方法が考えられる。この場合において、スロー動画の再生速度は、被写体の動きに基づいて決定された再生速度のままにしておく。つまりこの方法の場合には、そのスロー動画を全て、再生時間内に再生完了することは出来ないが（途中で再生が打ち切られるが）、被写体の動きに応じたスロー動画を、予め用意された音楽データを使って再生することができる。具体的には、例えば再生時間が４．０秒以上の長さ（ｅｘ．５秒）に設定されたスロー動画を４．０秒間だけ再生する。そしてその時にＢＧＭとして同時再生される音楽として、音楽再生開始から４．０秒後にテンポやリズムが変化する音楽を選択し、同時再生する。この手法によっても、記憶部２６の記憶容量等の制限により、多くの音楽データを記憶できない場合等に有効である。また、音楽のテンポやリズムが変化する時間に拘束されることなく、被写体の動き情報に基づいてスロー動画の再生時間の長さを自由に設定することができる。
【００７５】
また、第２の実施の形態においては、スロー動画や静止画像に対する色調やトランジションエフェクト、スロー動画の再生速度を変化させる画像処理を施したものを再生しているが、これら画像処理を施した後のスロー動画や静止画像を、画像処理を施す前のスロー動画及び静止画像に追加して、または代えて、記録媒体２８に記録することができるようにしてもよい。
【００７６】
また、第２の実施の形態においては、スロー動画及び静止画像を再生するとき、スロー動画や静止画像に対する画像処理を実行しているが、スロー動画及び静止画像を記録するとき、スロー動画や静止画像に対する画像処理を実行してもよい。
【００７７】
なお、上述の各実施の形態においては、画像処理装置として電子カメラ２を例に挙げて説明したが、電子カメラに限らず、撮像装置等により撮影されたスロー動画や静止画像に対して画像処理可能なパソコン等の他の画像処理装置においても本発明を適用することができる。また、上述の各実施の形態においては、電子カメラ２により撮影され、記録媒体２８に記録されたスロー動画及び静止画像を再生しているが、他の撮像装置等により撮影され、記録媒体に記録されたスロー動画及び静止画像を電子カメラ２で再生することもできる。
【００７８】
また、電子カメラ２においてスロー動画及び静止画像を撮影（記録）したときに設定されたテーマ情報を、電子カメラ２より高性能なテーマ情報設定機能を備えたパソコン等の画像処理装置において、スロー動画及び静止画像の再生時にスロー動画及び静止画像の少なくとも一方を解析し、解析結果に基づいて再設定することもできる。例えば、パソコン等の画像処理装置において、記録媒体に記録されているスロー動画データ及び静止画データを画像処理装置に設けられているハードディスク等に読み込むとき等、テーマ情報を再設定する処理を実行する。また、パソコン等の画像処理装置において、スロー動画及び静止画像を再生した際、ユーザーがＢＧＭとして再生された音楽に違和感を覚えた場合や、設定されているテーマ情報を他のテーマ情報に変更したいと思った場合等、ユーザー操作によりテーマ情報を再設定するための画面を表示部に表示させ、テーマ情報を再設定する処理を実行することもできる。
【００７９】
また、上述の各実施の形態においては、スロー動画及び静止画像を撮影する直前または直後にテーマ情報を設定しているが、スロー動画及び静止画像を再生するとき、ユーザーがＢＧＭとして再生された音楽に違和感を覚えたとき、設定されているテーマ情報を他のテーマ情報に変更したいと思ったとき等、スロー動画データ及び静止画データを記録媒体２８に記録した後、設定されているテーマ情報を変更することもできる。この場合には、メニューの中に、テーマ情報を変更するためのメニュー項目を加え、メニュー画面を表示部４に表示し、十字キー１２等を用いて操作することによりテーマ情報をユーザーにより手動で変更することもできる。なお、テーマ情報を自動または手動で再設定した際、再設定する前のテーマ情報から再設定した後のテーマ情報に変更して記録するか否かをユーザーに選択させる画面を表示する。ユーザーにより変更後のテーマ情報の記録が選択された場合には、制御部２０は、再設定する前のテーマ情報を削除し、再設定した後のテーマ情報を新たに記録媒体２６に記録する。一方、ユーザーにより変更後のテーマ情報の記録が選択されなかった場合には、制御部２０は、テーマ情報を更新することなく、即ち再設定する前のテーマ情報が記録媒体２６に記録された状態を維持する。
【００８０】
また、上述の各実施の形態においては、記憶部２６に記憶されている複数の音楽データの中から一つの音楽データを選択しているが、電子カメラ２が、サーバに記録され、サーバから送信される音楽データを受信する受信部（図示せず）を備え、テーマ情報及びスロー動画の再生時間に調和する音楽データをサーバから送信し、受信部により受信する構成にすることもできる。この場合には、サーバ内に格納されている多数の音楽データの中から最適な音楽データを選択することができ、記憶部２６の記憶容量が小さい場合等、電子カメラ２が多くの音楽データを記憶することができない場合に有効である。
【００８１】
また、上述の各実施の形態においては、テーマ情報をスロー動画データ及び静止画データの両方に関連付けて、記録媒体２８に記録しているが、スロー動画データと静止画データとのうちのいずれか一方に関連付けて、記録媒体２８に記録してもよい。この場合には、制御部２０は、テーマ情報が付加されているスロー動画データ（または静止画データ）のセットＩＤ情報から、関連する静止画データ（またはスロー動画データ）を識別し、スロー動画データ（または静止画データ）に付加されているテーマ情報が関連する静止画データ（またはスロー動画データ）のテーマ情報であると認識する。
【００８２】
また、上述の各実施の形態においては、テーマ情報及びセットＩＤ情報をスロー動画データ及び静止画データの付属情報としてスロー動画データ及び静止画データに付加して記録しているが、スロー動画データ及び静止画データの画像ファイルと異なる設定ファイルを設け、テーマ情報及びセットＩＤ情報を、スロー動画データ及び静止画データの少なくとも一方に関連付けて、この設定ファイルに記録することもできる。
【００８３】
また、上述の各実施の形態においては、スロー動画を再生した後、静止画像を再生しているが、静止画像を所定時間再生した後、スロー動画を再生することもできる。この場合には、静止画像の再生開始と同時に、テーマ情報に基づき決定された音楽の再生を開始する。また、上述の各実施の形態においては、スロー動画データ及び静止画データを作成し、記録媒体２８に記録しているが、静止画データに代えて、静止画データに基づく画像として、１つの静止画像を所望期間連続するフレーム画像とするフリーズ動画を作成し、フリーズ動画のフリーズ動画データをスロー動画データと共に、記録媒体２８に記録してもよい。この場合には、フリーズ動画データにテーマ情報及びセットＩＤ情報を付加し、再生時には、静止画像に代えてフリーズ動画を再生する。また、上述の各実施の形態においては、スロー動画を再生した後、静止画像を再生しているが、再生時に静止画像に基づいてフリーズ動画を生成し、静止画像に代えて、生成されたフリーズ動画を再生することもできる。なお、フリーズ動画データとスロー動画データは、１つのファイルとしてもよい。いずれの場合も、スロー動画データとフリーズ動画データの合計時間長さはBGMと同じ長さとする。
【００８４】
また、上述の各実施の形態においては、テーマ情報毎に最適な音楽が記憶部２６に記憶され、スロー動画及び静止画像のテーマ情報に基づいて音楽を決定し、決定された音楽をＢＧＭとしてスロー動画及び静止画像と共に再生しているが、音楽に代えてまたは音楽に加えて、テーマ情報毎に最適な音声等の音を記憶部２６に記憶させ、スロー動画及び静止画像のテーマ情報に基づいて音声等の音を決定し、決定された音声等の音をＢＧＭとしてスロー動画及び静止画像と共に再生することもできる。
【００８５】
なお、上述の各実施の形態においては、表示部４の表示画面を一旦暗転させた後、スロー動画の再生を開始するが、スロー動画が再生されることを印象付けるために、表示部４に表示されていた画像と、スロー動画を形成する最初のフレーム画像との間に、黒動画を所定時間（約０．５秒）表示部４に表示するようにしてもよい。
【符号の説明】
【００８６】
２…電子カメラ、４…表示部、６…シャッタボタン、８…モードボタン、１０…昨日設定ボタン、１２…十字キー、１４…ＯＫボタン、２０…制御部、２２…撮像素子、２４…バッファメモリ、２６…記憶部、２８…記録媒体。
【図１】
0005764964.tif 000002
【図２】
0005764964.tif 000003
【図３】
0005764964.tif 000004
【図４】
0005764964.tif 000005
【図５】
0005764964.tif 000006
【図６】
0005764964.tif 000007
【図７】
0005764964.tif 000008
【図８】
0005764964.tif 000009
【図９】
0005764964.tif 000010
【図１０】
0005764964.tif 000011
【図１１】
0005764964.tif 000012
【図１２】
0005764964.tif 000013
【図１３】
0005764964.tif 000014